(57)【要約】【課題】サーマルヘッドの着脱を容易にし、ヘッド側接続端子およびブラケット側接続端子などコネクターの抜き差しをなくすとともに、サーマルヘッドの交換作業性を高めたサーマルヘッドの取付け構造を提供すること。【解決手段】サーマルヘッドのヘッド側接続端子をヘッドブラケットのブラケット側接続端子に面接触させ、サーマルヘッドの傾斜面とした一面に取付けボルトを突き当てて押すことにより、ヘッドブラケット方向への分力を発生させることに着目したもので、ヘッド本体の第１の表面にヘッド側接続端子を形成し、第１の表面とは異なる少なくともひとつの他の面を傾斜面とし、ヘッドブラケットの第２の表面にブラケット側接続端子を形成し、傾斜面に向かってヘッドブラケットから固定具を取り付けて、ヘッド側接続端子をブラケット側接続端子に圧着可能としたことを特徴とする。【選択図】        図１
2004209731.tif 000002
【特許請求の範囲】
【請求項１】
発熱素子を有するとともに所定の容積を有するように形成したヘッド本体と、このヘッド本体に電流および信号を供給するための接続端子と、を有するサーマルヘッドをヘッドブラケットに取り付けるためのサーマルヘッドの取付け構造であって、
前記ヘッド本体を前記ヘッドブラケットに係合可能な形状に形成するとともに、
前記ヘッド本体の第１の表面にヘッド側接続端子を形成し、この第１の表面とは異なる少なくともひとつの他の面を傾斜面とするとともに、
前記ヘッドブラケットの前記ヘッド本体の該第１の表面に対向する第２の表面にブラケット側接続端子を形成し、
前記傾斜面に向かって前記ヘッドブラケットから固定具を取り付けて、前記ヘッド側接続端子を前記ブラケット側接続端子に圧着可能としたことを特徴とするサーマルヘッドの取付け構造。
【請求項２】
前記ヘッドブラケットを断面コ字状に形成してヘッド取付け空間を形成し、
このヘッド取付け空間内において前記ヘッド側接続端子と前記ブラケット側接続端子とを互いに圧着可能とすることを特徴とする請求項１記載のサーマルヘッドの取付け構造。
【請求項３】
前記ヘッド側接続端子あるいは前記ブラケット側接続端子のいずれか一方をパッド状とするとともに、
前記ブラケット側接続端子あるいは前記ヘッド側接続端子のいずれか他方をピン状とすることを特徴とする請求項１記載のサーマルヘッドの取付け構造。
【請求項４】
前記ヘッドブラケットおよび前記ヘッド本体をともに断面逆台形状に形成することを特徴とする請求項１記載のサーマルヘッドの取付け構造。
【発明の詳細な説明】
【０００１】
【発明の属する技術分野】
本発明はサーマルヘッドの取付け構造にかかるもので、とくにサーマルプリンターに取り付けられて印字を行うサーマルヘッドの取付け構造に関するものである。
【０００２】
【従来の技術】
従来のサーマルプリンターは、サーマルヘッドおよびプラテンローラーの間に印字用紙を通過させ、サーマルヘッドの発熱により印字用紙上に所定の印字を行う。
このサーマルヘッドをプリンターに取り付ける構造について図６および図７にもとづき概説する。
図６は、サーマルプリンター１の要部概略分解斜視図であって、サーマルプリンター１は、ヘッドブラケット２と、サーマルヘッド３およびプラテンローラー４と、を有する。
ヘッドブラケット２には、サーマルヘッド３をプラテンローラー４に接離可能に取り付け、印字用紙Ｌを挿通およびこれに印字可能とするもので、開閉軸５を介してサーマルプリンター１の本体部分（図示せず）に対して開閉可能となっている。
【０００３】
図７は、サーマルヘッド３の側面図であって、サーマルヘッド３は、ヘッド本体６と、接続端子（ヘッド側電源用接続端子７およびヘッド側信号用接続端子８）と、基板９と、発熱素子１０と、を有する。
ヘッド本体６は、所定の容積を有する直方体形状であって、ヒートシンクとして機能する。
ヘッド側電源用接続端子７およびヘッド側信号用接続端子８は、ヘッドブラケット２からの接続端子（ブラケット側電源用接続端子１１およびブラケット側信号用接続端子１２）にそれぞれ接続するものである。ブラケット側電源用接続端子１１およびブラケット側信号用接続端子１２はそれぞれ、電源用ケーブル１３および信号用ケーブル１４に接続する。
基板９は、ヘッド側電源用接続端子７およびヘッド側信号用接続端子８と、発熱素子１０と、を接続する。
【０００４】
ヘッドブラケット２に取付けボルト１５を挿通し、サーマルヘッド３の頂面にねじ込むことにより、ヘッドブラケット２にサーマルヘッド３を取り付け固定している。
【０００５】
こうした構成のサーマルプリンター１において、ヘッドブラケット２にサーマルヘッド３を取り付けるにあたり、ブラケット側電源用接続端子１１をヘッド側電源用接続端子７に結合し、ブラケット側信号用接続端子１２をヘッド側信号用接続端子８に結合し、取付けボルト１５を締め付けることによりヘッドブラケット２にサーマルヘッド３を固定する。
しかしながら、ブラケット側電源用接続端子１１とヘッド側電源用接続端子７、およびブラケット側信号用接続端子１２とヘッド側信号用接続端子８との結合方式はピン結合方式（ピンヘッダー方式）であり、互いに抜けやすいという問題がある。
さらに、これら結合部分の脱着操作に加えて、ヘッドブラケット２にサーマルヘッド３を取り付けるために取付けボルト１５を締め付ける操作が必要で、取付け作業性および取外し作業性が低く、サーマルプリンター１ないしはサーマルヘッド３の保守作業においてサーマルヘッド３の交換作業およびヘッドバランスの調整作業が面倒であるという問題がある。
【０００６】
【特許文献１】
特開平１１−２２７２３６号公報
【特許文献２】
特開２００２ー１９１６７号公報
【０００７】
【発明が解決しようとする課題】
本発明は以上のような諸問題にかんがみなされたもので、ヘッドブラケットにサーマルヘッドを簡単に取り付けることができるサーマルヘッドの取付け構造を提供することを課題とする。
【０００８】
また本発明は、サーマルヘッドの接続状態を簡素化して、サーマルヘッドの着脱を容易にしたサーマルヘッドの取付け構造を提供することを課題とする。
【０００９】
また本発明は、ヘッド側電源用接続端子、ヘッド側信号用接続端子、ブラケット側電源用接続端子およびブラケット側信号用接続端子などコネクターの抜き差しをなくすとともに、サーマルヘッドの交換作業性を高めたサーマルヘッドの取付け構造を提供することを課題とする。
【００１０】
【課題を解決するための手段】
すなわち本発明は、サーマルヘッドのヘッド側接続端子をたとえばパッド状にしてヘッドブラケットのブラケット側接続端子に面接触させること、ヘッドブラケットに係合させるサーマルヘッドの一面を傾斜面として、この傾斜面に取付けボルトなどの固定具を突き当てて押すことにより、ヘッドブラケット方向への分力を発生させ、サーマルヘッドをヘッドブラケット方向に所定押圧力で押圧可能とすることに着目したもので、発熱素子を有するとともに所定の容積を有するように形成したヘッド本体と、このヘッド本体に電流および信号を供給するための接続端子と、を有するサーマルヘッドをヘッドブラケットに取り付けるためのサーマルヘッドの取付け構造であって、上記ヘッド本体を上記ヘッドブラケットに係合可能な形状に形成するとともに、上記ヘッド本体の第１の表面にヘッド側接続端子を形成し、この第１の表面とは異なる少なくともひとつの他の面を傾斜面とするとともに、上記ヘッドブラケットの上記ヘッド本体の該第１の表面に対向する第２の表面にブラケット側接続端子を形成し、上記傾斜面に向かって上記ヘッドブラケットから固定具を取り付けて、上記ヘッド側接続端子を上記ブラケット側接続端子に圧着可能としたことを特徴とするサーマルヘッドの取付け構造である。
【００１１】
上記ヘッドブラケットを断面コ字状に形成してヘッド取付け空間を形成し、このヘッド取付け空間内において上記ヘッド側接続端子と上記ブラケット側接続端子とを互いに圧着可能とすることができる。
【００１２】
上記ヘッド側接続端子あるいは上記ブラケット側接続端子のいずれか一方をパッド状とするとともに、上記ブラケット側接続端子あるいは上記ヘッド側接続端子のいずれか他方をピン状とすることができる。
【００１３】
上記ヘッドブラケットおよび上記ヘッド本体をともに断面逆台形状に形成することができる。
【００１４】
上記ヘッド本体は、上記傾斜面を有するようにこれを断面台形状ないしは逆台形状とすることが一般的であるが、この傾斜面の数、形成位置や態様など、さらには、サーマルヘッドおよびヘッドブラケットの互いの接続端子の数や位置などはサーマルヘッドの取付け位置や姿勢に応じて任意に設計することができる。
【００１５】
本発明によるサーマルヘッドの取付け構造においては、サーマルヘッドのヘッド側電源用接続端子その他のヘッド側接続端子などをたとえばパッド状にしてヘッドブラケットのブラケット側接続端子に面接触させるとともに、ヘッドブラケットに係合させるサーマルヘッドの一面を傾斜面として、この傾斜面に取付けボルトなどの固定具を突き当てて押すことにより、サーマルヘッドをヘッドブラケット方向に押圧可能とするようにしたので、サーマルヘッドをヘッドブラケットの一側に押し当てた状態で取付けボルトなどをねじ込むだけで、ヘッドブラケットとサーマルヘッドとの間の電気的接続および機械的結合を同時に実現し、簡易な取り付け構造とすることができる。
したがって、従来のようなピンヘッダー方式とは異なりサーマルヘッドとケーブルとの結合部分の抜けを発生させることなく、保守管理時におけるサーマルヘッドの着脱操作およびヘッドバランスの調整作業が容易である。
【００１６】
【発明の実施の形態】
つぎに本発明の第１の実施の形態によるサーマルヘッドの取付け構造２０を図１ないし図３にもとづき説明する。ただし、図６および図７と同様の部分には同一符号を付し、その詳述はこれを省略する。
図１は、サーマルヘッドの取付け構造２０の縦断面図、図２は、サーマルヘッド３のヘッド本体６の平面図であって、この取付け構造２０においては、ヘッドブラケット２に相当するヘッドブラケット２１を印字用紙Ｌの移送方向に沿った断面を移送方向に長くヘッド本体６を覆うようにほぼコ字状に形成する。
さらに、ヘッド本体６の第１の表面２２には、ヘッド側接続端子としてパッド状のヘッド側信号用接続端子２４およびヘッド側電源用接続端子２３を形成している。ヘッド側電源用接続端子２３およびヘッド側信号用接続端子２４と基板９さらに発熱素子１０とを接続するための導電部２５、２６を設けている。導電部２５、２６の代わりにフレキシブルケーブルを設けることもできる。
さらに、ヘッド本体６の第１の表面２２とは異なる直方体の一面、たとえば発熱素子１０を形成している側とは反対側の面（印字用紙Ｌの移送方向上流側の面）を傾斜面２７としている。
【００１７】
ヘッドブラケット２１の裏面側に位置する第２の表面２８には、ヘッド側電源用接続端子２３およびヘッド側信号用接続端子２４にそれぞれ対向して接触可能なようにピン状のブラケット側電源用接続端子２９およびブラケット側信号用接続端子３０を形成している。
このヘッドブラケット２１内をヘッド取付け空間３１としている。
なお、ヘッド側電源用接続端子２３およびヘッド側信号用接続端子２４、あるいはブラケット側電源用接続端子２９およびブラケット側信号用接続端子３０のいずれか一方をパッド状あるいはピン状とすればよいもので、その接触形態は任意である。
【００１８】
図３は、サーマルヘッドの取付け構造２０の分解斜視図であって、図示の矢印のように、ヘッド本体６をヘッドブラケット２１のヘッド取付け空間３１の横方向から挿入して取り付けることもできるし、ヘッドブラケット２１の下方向から取り付けることもできる。
すなわち、とくに図１に示すように、ヘッドブラケット２１のヘッド取付け空間３１内の下流側面３２にヘッド本体６を突き当てるようにして、ヘッド本体６をヘッドブラケット２１に係合した状態で、ヘッドブラケット２１においてヘッド本体６の傾斜面２７側に面する上流側面３３から取付けボルト３４（固定具）をねじ込んで傾斜面２７に突き当てることにより、傾斜面２７においてふたつの分力を発生させる。
一方の分力により、ヘッド本体６の第１の表面２２がヘッドブラケット２１の第２の表面２８に所定押圧力で接触し、ヘッド側電源用接続端子２３がブラケット側電源用接続端子２９に、ヘッド側信号用接続端子２４がブラケット側信号用接続端子３０にそれぞれ電気的に接触することになる。
この電気的接触と同時に、他方の分力により、ヘッド本体６がヘッドブラケット２１のヘッド取付け空間３１内の下流側面３２に所定押圧力で接触し、ヘッド取付け空間３１内にヘッド本体６（サーマルヘッド３）を機械的に取り付けることができる。
【００１９】
こうした構成のサーマルヘッドの取付け構造２０において、上述のように取付けボルト３４のねじ込み作用だけでサーマルヘッド３（ヘッド本体６）をヘッドブラケット２１に機械的に取付けることができるとともに、ヘッド側電源用接続端子２３とブラケット側電源用接続端子２９との間、およびヘッド側信号用接続端子２４とブラケット側信号用接続端子３０との間のそれぞれの電気的接続状態を完了することができる。
サーマルヘッド３を取り外す際にも、取付けボルト３４をゆるめるだけで、簡単にヘッドブラケット２１からこれを外して、点検ないし交換が可能である。
【００２０】
図４は、本発明の第２の実施の形態によるサーマルヘッドの取付け構造４０の概略側断面図であって、この取付け構造４０においては、サーマルヘッド３のヘッド本体６およびヘッドブラケット２１ともにそれぞれの両端部（印字用紙Ｌの移送方向上流側および下流側の両端部）を傾斜面として、いわゆる蟻型蟻溝結合を構成している。
すなわち、ヘッドブラケット２１のヘッド取付け空間３１およびサーマルヘッド３のヘッド本体６をともに断面逆台形状に形成してあり、ヘッド本体６をヘッドブラケット２１のヘッド取付け空間３１内に横方向から挿入係合可能として、ヘッドブラケット２１によるヘッド本体６の仮保持を可能とし、傾斜面２７への取付けボルト３４によるねじ込みにより最終的な固定および接続状態を実現する。
【００２１】
なお、図中仮想線で示すように、反対側（下流側）の傾斜面２７にも取付けボルト３４を突き当て押し込み可能として、ヘッド本体６の第１の表面２２のヘッドブラケット２１の第２の表面２８への押圧力の均等化を図ることもできる。
【００２２】
図５は、本発明の第３の実施の形態によるサーマルヘッドの取付け構造５０の概略側断面図であって、この取付け構造５０においては、サーマルヘッド３のヘッド本体６における横面（印字用紙Ｌの移送方向に沿った横面）に傾斜面５１を形成して、この傾斜面５１に取付けボルト３４を突き当て押し込むことができるようにしたものである。
【００２３】
こうした構成のサーマルヘッドの取付け構造５０においても、上述のサーマルヘッドの取付け構造２０（図１）およびサーマルヘッドの取付け構造４０（図４）の場合と同様に、簡単な構成および操作でサーマルヘッド３をヘッドブラケット２１に取り付けて、機械的および電気的接続構成を容易に得ることができるとともに、交換作業が容易である。
【００２４】
【発明の効果】
以上のように本発明によれば、サーマルヘッドのヘッド本体における第１の表面にヘッド側接続端子を設けるとともに、傾斜面を形成して取付けボルトなどの固定具により、ヘッドブラケットへの押圧力に分力を発生させるようにしたので、構成および着脱作業が簡便なサーマルヘッドの取付け構造とすることができる。
【図面の簡単な説明】
【図１】本発明の第１の実施の形態によるサーマルヘッドの取付け構造２０の縦断面図である。
【図２】同、サーマルヘッド３のヘッド本体６の平面図である。
【図３】同、サーマルヘッドの取付け構造２０の分解斜視図である。
【図４】本発明の第２の実施の形態によるサーマルヘッドの取付け構造４０の概略側断面図である。
【図５】本発明の第３の実施の形態によるサーマルヘッドの取付け構造５０の概略側断面図である。
【図６】従来のサーマルプリンター１の要部概略分解斜視図である。
【図７】同、サーマルヘッド３の側面図である。
【符号の説明】
１  サーマルプリンター（図６）
２  ヘッドブラケット
３  サーマルヘッド
４  プラテンローラー
５  開閉軸
６  サーマルヘッド３のヘッド本体
７  ヘッド側電源用接続端子
８  ヘッド側信号用接続端子
９  基板
１０  発熱素子
１１  ブラケット側電源用接続端子
１２  ブラケット側信号用接続端子
１３  電源用ケーブル
１４  信号用ケーブル
１５  取付けボルト
２０  サーマルヘッドの取付け構造（第１の実施の形態、図１）
２１  ヘッドブラケット
２２  ヘッド本体６の第１の表面
２３  ヘッド側電源用接続端子（ヘッド側接続端子）
２４  ヘッド側信号用接続端子（ヘッド側接続端子）
２５、２６  導電部
２７  傾斜面
２８  ヘッドブラケット２１の第２の表面
２９  ブラケット側電源用接続端子（ブラケット側接続端子）
３０  ブラケット側信号用接続端子（ブラケット側接続端子）
３１  ヘッドブラケット２１内のヘッド取付け空間
３２  ヘッドブラケット２１のヘッド取付け空間３１内の下流側面
３３  ヘッドブラケット２１のヘッド取付け空間３１内の上流側面
３４  取付けボルト（固定具）
４０  サーマルヘッドの取付け構造（第２の実施の形態、図４）
５０  サーマルヘッドの取付け構造（第３の実施の形態、図５）
５１  傾斜面
Ｌ    印字用紙
【図１】
2004209731.tif 000003
【図２】
2004209731.tif 000004
【図３】
2004209731.tif 000005
【図４】
2004209731.tif 000006
【図５】
2004209731.tif 000007
【図６】
2004209731.tif 000008
【図７】
2004209731.tif 000009